(57)【要約】【課題】加工部材に対する加工工具の位置の視認性を向上させ、小型化、省スペース化を図り、切断作業効率を向上させた電動工具の提供。【解決手段】第２ソーカバー部３０と共にソーカバー４０を構成する第１ソーカバー部２３にはＬＥＤ７５を有する照明装置７０が設けられている。第２ソーカバー部３０には貫通孔３０ａ、切欠き３０ｂが形成されており、貫通孔３０ａには光ファイバー７７が挿通され、切欠き３０ｂには光ファイバー７７が嵌合している。光ファイバー７７の一端７７ＡはＬＥＤ７５に略対向配置され、光ファイバー７７の他端７７Ｂは、丸のこ刃２１の他側面２１Ｂ側における外周縁部に直接対向している。【選択図】図４
2008265124.tif 000002
【特許請求の範囲】
【請求項１】
動力源と、
該動力源により駆動されて加工部材を加工する加工工具と、
少なくとも該加工工具の周縁部の一部を覆う工具カバー部と、
光源と、
該光源から離間した位置に配置され該加工工具の周縁部の一部を照明するための発光部と、
該工具カバー部に支持接続され、該光源の光を該発光部へ伝送するための伝送手段とを備えることを特徴とする電動工具。
【請求項２】
該加工工具は切断刃からなり、
該動力源は該切断刃の一側面側に配置され、該発光部は該切断刃の他側面側に配置されていることを特徴とする請求項１記載の電動工具。
【請求項３】
該工具カバー部は、主として該切断刃の一側面側に位置する第１ソーカバー部と主として該切断刃の他側面側に位置する第２ソーカバー部とに少なくとも二分割可能であり、該第２ソーカバー部は該第１ソーカバー部に対して着脱可能であり、該第１ソーカバー部に該光源が配置され、該第２ソーカバー部に該発光部が配置されていることを特徴とする請求項２記載の電動工具。
【請求項４】
該発光部は第１発光部と第２発光部とを有し、
該工具カバー部は、主として該切断刃の一側面側に位置する第１ソーカバー部と主として該切断刃の他側面側に位置する第２ソーカバー部とに少なくとも二分割可能であり、該第２ソーカバー部は該第１ソーカバー部に対して着脱可能であり、該第１ソーカバー部に該光源が配置され、該第１ソーカバー部に該第１発光部が配置され、該第２ソーカバー部に該第２発光部が配置されていることを特徴とする請求項２記載の電動工具。
【請求項５】
該光源は該切断刃の一側面側に直接対向していることを特徴とする請求項３又は請求項４記載の電動工具。
【請求項６】
該伝送手段は光ファイバーからなり、該光ファイバーの一端は該光源に対向配置され、該光ファイバーの他端は該発光部をなすことを特徴とする請求項１乃至請求項５記載の電動工具。
【請求項７】
該工具カバー部には切欠き又は貫通孔が形成され、該光ファイバーは、該切欠き又は貫通孔に嵌合することにより該工具カバー部に支持接続されていることを特徴とする請求項６記載の電動工具。
【発明の詳細な説明】
【技術分野】
【０００１】
本発明は電動工具に関し、特に照明装置を備えた携帯用丸のこ等の電動工具に関する。
【背景技術】
【０００２】
従来から、木材等の加工部材を切断・加工するための切断機を携帯可能とした電動工具たる携帯用丸のこがある。携帯用丸のこは、主に丸のこ刃と駆動装置であるモータとから構成されており携帯性に優れ、故に工場内に限らず建設現場等において多用されている。
【０００３】
携帯用丸のこを用いた加工部材の切断作業方法としては、図８に示されるように、加工部材１０３上に引かれた墨線１０３Ａに携帯用丸のこ１０１の切断刃たる丸のこ刃１２１を合わせて切断する方法や、図９に示されるような携帯用丸のこ２０１に設けられたガイド２５９を、図示せぬ加工部材に当接させた状態で切断する方法がある。前者の場合には、丸のこ刃１２１の刃先を墨線１０３Ａに合わせながら切断を行う。後者の場合には、加工部材の被切断位置に切断刃たる丸のこ刃２２１の刃先を合わせてから、ガイド２５９を調整し加工部材の側面にガイド２５９を当接させ、そして切断を行う。このような切断作業時には、丸のこ刃１２１、２２１の刃先の位置を視認していなければ正確な切断を行うことができず、丸のこ刃１２１、２２１の刃先の視認性を良くする必要があった。そこで、出願人は、特許文献１及び特許文献２に示されるように、照明装置を設けて丸のこ刃の刃先を照らす携帯用丸のこを開示している。
【特許文献１】特開平１１−１７０２０３号公報
【特許文献２】特開２００２−２１０７０３号公報
【発明の開示】
【発明が解決しようとする課題】
【０００４】
特許文献１及び特許文献２に示されている携帯用丸のこにおいては、照明装置が設けられているため、光量が足りない現場等であっても加工部材に引かれた墨線及び丸のこ刃の刃先を視認することが可能である。しかし、照明装置による照明の方向が一方向のみであるため、照明による丸のこ刃の陰影ができ、この結果墨線が見づらい場合があった。
【０００５】
このため、丸のこ刃の陰影をなくすために切断方向の前方に照明装置を設ける構成が考えられるが、この場合には照明装置の方向に切削屑が飛散し照明装置を切削屑が覆ってしまい光が十分に刃先まで届かなくなる。
【０００６】
また、丸のこ刃の両側面に照明装置を配設する構成が考えられる。しかしこの場合、例えば、丸のこ刃を覆うソーカバーが、切断刃の一側面側に位置する第１ソーカバー部と切断刃の他側面側に位置する第２ソーカバー部とに二分割可能であり、第２ソーカバー部は第１ソーカバー部に対して着脱可能な構成の場合には、第１ソーカバー部に対する第２ソーカバーの着脱時に、第２ソーカバーにおいて照明装置が突出して設けられているため照明装置が邪魔になり、ソーカバー着脱に支障をきたすという問題が生ずる。
【０００７】
そこで、本発明は、加工部材に対する加工工具の位置の視認性を向上させ、小型化、省スペース化を図り、切断作業効率を向上させた電動工具を提供することを目的とする。
【課題を解決するための手段】
【０００８】
上記課題を解決するために、本発明は動力源と、該動力源により駆動されて加工部材を加工する加工工具と、少なくとも該加工工具の周縁部の一部を覆う工具カバー部と、光源と、該光源から離間した位置に配置され該加工工具の周縁部の一部を照明するための発光部と、該工具カバー部に支持接続され、該光源の光を該発光部へ伝送するための伝送手段とを備える電動工具を提供している。
【０００９】
光源から離間した位置に配置され加工工具の周縁部の一部を照明するための発光部と、工具カバー部に支持接続され、光源の光を発光部へ伝送するための伝送手段とを備えるため、発光部が設けられている工具カバー部の部分に光源を設けずに済み、当該工具カバー部の部分の小型化を図ることができ、電動工具全体の小型化を図ることができる。
【００１０】
ここで、該加工工具は切断刃からなり、該動力源は該切断刃の一側面側に配置され、該発光部は該切断刃の他側面側に配置されていることが好ましい。
【００１１】
加工工具は切断刃からなり、動力源は切断刃の一側面側に配置され、発光部は切断刃の他側面側に配置されているため、動力源を駆動するための電源が通常設けられる切断刃の一側面側とは反対の他側面側において、発光部からの光で照明をすることができる。
【００１２】
また、該工具カバー部は、主として該切断刃の一側面側に位置する第１ソーカバー部と主として該切断刃の他側面側に位置する第２ソーカバー部とに少なくとも二分割可能であり、該第２ソーカバー部は該第１ソーカバー部に対して着脱可能であり、該第１ソーカバー部に該光源が配置され、該第２ソーカバー部に該発光部が配置されていることが好ましい。
【００１３】
工具カバー部は、主として切断刃の一側面側に位置する第１ソーカバー部と主として切断刃の他側面側に位置する第２ソーカバー部とに少なくとも二分割可能であり、第２ソーカバー部は第１ソーカバー部に対して着脱可能であり、第１ソーカバー部に光源が配置され、第２ソーカバー部に発光部が配置されているため、着脱可能な第２ソーカバー部に、光源や光源に電力を供給するための電線等を設けずに済み、第２ソーカバー部に対する第１ソーカバー部の着脱を容易に行うことができる。
【００１４】
また、該発光部は第１発光部と第２発光部とを有し、該工具カバー部は、主として該切断刃の一側面側に位置する第１ソーカバー部と主として該切断刃の他側面側に位置する第２ソーカバー部とに少なくとも二分割可能であり、該第２ソーカバー部は該第１ソーカバー部に対して着脱可能であり、該第１ソーカバー部に該光源が配置され、該第１ソーカバー部に該第１発光部が配置され、該第２ソーカバー部に該第２発光部が配置されていることが好ましい。
【００１５】
発光部は第１発光部と第２発光部とを有し、工具カバー部は、主として切断刃の一側面側に位置する第１ソーカバー部と主として切断刃の他側面側に位置する第２ソーカバー部とに少なくとも二分割可能であり、第２ソーカバー部は第１ソーカバー部に対して着脱可能であり、第１ソーカバー部に光源が配置され、第１ソーカバー部に第１発光部が配置され、第２ソーカバー部に第２発光部が配置されているため、光源を１つとした場合であっても、切断刃の略一側面側と略他側面側とにおいて発光部を有する構成とすることができる。
【００１６】
また、該光源は該切断刃の一側面側に直接対向していることが好ましい。光源は切断刃の一側面側に直接対向しているため、光源の光により切断刃の一側面側を直接照明することができ、切断刃の一側面側をより明るく照明することができる。
【００１７】
また、該伝送手段は光ファイバーからなり、該光ファイバーの一端は該光源に対向配置され、該光ファイバーの他端は該発光部をなすことが好ましい。
【００１８】
伝送手段は光ファイバーからなり、光ファイバーの一端は光源に対向配置され、光ファイバーの他端は発光部をなすため、光源からの光を効率よく且つ容易に発光部まで伝送することができる。
【００１９】
また、該工具カバー部には切欠き又は貫通孔が形成され、該光ファイバーは、該切欠き又は貫通孔に嵌合することにより該工具カバー部に支持接続されていることが好ましい。
【００２０】
工具カバー部には切欠き又は貫通孔が形成され、光ファイバーは、切欠き又は貫通孔に嵌合することにより工具カバー部に支持接続されているため、光ファイバーを工具カバー部に容易且つ確実に接続固定することができる。
【発明の効果】
【００２１】
以上により、本発明は、加工部材に対する加工工具の位置の視認性を向上させ、小型化、省スペース化を図り、切断作業効率を向上させた電動工具を提供することができる。
【発明を実施するための最良の形態】
【００２２】
本発明の実施の形態による電動工具について図１乃至図７に基づき説明する。図１に示されるように電動工具は、具体的には加工部材たる石膏ボード等を切断するためのいわゆる集塵丸のこと呼ばれる携帯用丸のこ１であり、図示せぬ集塵機と接続され、当該石膏ボードを切断しながら、石膏ボードの切断により生じた切粉を集塵することができるように構成されている。携帯用丸のこ１は、ハウジング２（図３）と、丸のこ刃２１と、照明装置７０（図２）と、ベース５０とから主に構成されている。丸のこ刃２１は加工工具に相当し、ソーカバー４０は加工カバー部に相当する。
【００２３】
ハウジング２は、図３に示されるように、ハンドル部１２が一体で設けられ動力源たるモータ１１が収容されている樹脂製の収容部１０と、モータ１１と丸のこ刃２１とを駆動連結する駆動系たる減速装置２２が収容され、丸のこ刃２１を回転可能に支承するアルミニウム製のギヤカバー２０と、透明の樹脂製の第２ソーカバー部３０とから主に構成されている。収容部１０とギヤカバー２０と第２ソーカバー部３０とは、この順で図３の下方から上方に向かって接続されている。モータ１１が駆動することによりモータ１１の回転が減速装置２２を介して丸のこ刃２１に伝達され、丸のこ刃２１が回転するように構成されている。
【００２４】
図１に示されるように、ハンドル部１２には、モータ１１の駆動を制御するスイッチ１２Ａと、照明装置７０のＯＮ／ＯＦＦを制御する照明スイッチ１２Ｂとが設けられている。第２ソーカバー部３０に接続されているギヤカバー２０の部分、即ち、ギヤカバー２０の反収容部１０側の部分は、図３に示されるように、第２ソーカバー部３０とともに丸のこ刃２１を保護する第１ソーカバー部２３をなし、第１ソーカバー部２３と第２ソーカバー部３０とでソーカバー４０を構成する。従ってソーカバー４０は、第１ソーカバー部２３と第２ソーカバー部３０との二分割構成になっており、ソーカバー４０は工具カバー部に相当する。
【００２５】
図３に示されるように、ソーカバー４０は丸のこ刃２１の一側面２１Ａ側たる図３の丸のこ刃２１の下面と、他側面２１Ｂ側たる図３の丸のこ刃２１の上面とのそれぞれの略半分を覆っている。より詳細には、第１ソーカバー部２３が主として一側面２１Ａ側の略半分を覆っており、第２ソーカバー部３０が主として他側面２１Ｂ側の略半分を覆っている。前述のように、第１ソーカバー部２３はギヤカバー２０の一部をなしており、ギヤカバー２０はモータ１１が収容された収容部１０に接続されていることから、モータ１１は丸のこ刃２１の一側面２１Ａ側に配置されていることになる。
【００２６】
第２ソーカバー部３０と第１ソーカバー部２３とには、互いに引掛かることにより係合可能な図示せぬ係合部が設けられており、この構成により第２ソーカバー部３０は第１ソーカバー部２３に対して着脱可能となっている。図５の矢印で示される方向へ、即ち、図５の左方向たる丸のこ刃２１の軸方向へギヤカバー２０を構成する第１ソーカバー部２３から離間するようにして第２ソーカバー部３０を引張ることにより、当該図示せぬ係合部の係合が外れて、第１ソーカバー部２３から取外すことができる。また、第２ソーカバー部３０が外された状態から先ほどと逆の方向へ第２ソーカバー部３０を接近させてゆき、第１ソーカバー部２３に押し付けることにより、図示せぬ係合部が係合し合い、第１ソーカバー部２３に装着固定することができるように構成されている。
【００２７】
なお、図７においては、あたかも第２ソーカバー部３０が図７の上方へ取り外されるかのように図示されているが、この方向に取り外すのではなく、説明の便宜上第２ソーカバー部３０を図７の上方へずらした状態で図示している。図１等に示されるように、丸のこ刃２１の周方向におけるソーカバー４０の一端側は、後述の回動支持部５２と連結され第１ソーカバー部２３と一体に構成された連結部２５をなす。丸のこ刃２１の周方向におけるソーカバー４０の他端側には、後述の回動プレート５６をソーカバー４０に対して締結・解除可能な規制部２６が設けられている。また、ソーカバー４０の上部には、図示せぬ集塵機に接続可能であり丸のこ刃２１による加工部材の切断により生じた切粉を図示せぬ集塵機へと排出するための排出部２４が設けられている。
【００２８】
また、丸のこ刃２１の周方向におけるソーカバー４０の他端側には、セーフティカバー２７がソーカバー４０の外縁に沿って円周方向に回動可能に設けられている。ソーカバー４０とセーフティーカバー２７との間には、図示せぬバネが介在しており、ソーカバー４０に対してセーフティーカバー２７を、丸のこ刃２１の周方向におけるソーカバー４０の一端側から他端側へ向かう方向に付勢している。よって切断作業を行っていない状態では、セーフティーカバー２７は、丸のこ刃２１のソーカバー４０で覆えない部分を当該他端側から一端側に向かって覆っている。従ってソーカバー４０の一端側と、セーフティカバー４２との間には、丸のこ刃２１が露出する部分があり、この露出する部分が加工部材を切断する部分となって、ソーカバー４０の他端側から一端側にむけて丸のこ１は切り進んでいく。よってソーカバー４０の他端側から一端側へと向かう方向、即ち図１の右方向を切断方向と定義し、ソーカバー４０の一端側を切断方向前側、他端側を切断方向後側と定義する。
【００２９】
図２に示されるように、第１ソーカバー部２３には照明装置７０が設けられている。照明装置７０は、ソーカバー４０の切断方向前側位置であって後述する回動支持部５２近傍位置に、ねじ７１によって固定されている。照明装置７０は樹脂製のケース７２を有している。ケース７２は、図４等に示されるように、第１ソーカバー部２３の側面から、即ち、第１ソーカバー部２３の図４に示される上面から、第２ソーカバー部３０に接続される第１ソーカバー部２３の切断方向前側端に渡って設けられている。
【００３０】
ケース７２内には、丸のこ刃２１の一側面２１Ａ側の外周縁部に対向する位置において光軸方向が互いに平行且つ丸のこ刃２１の一側面２１Ａに平行に指向して配置された一対のＬＥＤ７３、７４と、丸のこ刃２１の一側面２１Ａ及び他側面２１Ｂの延長位置において光軸方向が丸のこ刃２１の軸方向に向けて配置されたＬＥＤ７５との計３つのＬＥＤ７３〜７５が設けられている。これらのＬＥＤ７３〜７５は、それぞれケース７２内に配置された電線７６と継線されており、電線７６はモータ１１を駆動するための図示せぬ電源に接続されている。
【００３１】
なお図４においては、一対のＬＥＤ７３、７４と丸のこ刃２１の一側面２１Ａ側における外周縁部との間には、ケース７２や第１ソーカバー部２３が存在しているかのように図示されているが、図４に示される断面位置ではケース７２や第１ソーカバー部２３の断面が見えており、図４とは異なる断面位置では、図７に示されるように一対のＬＥＤ７３、７４と丸のこ刃２１の一側面２１Ａ（図２等）側における外周縁部とは直接対向している。従って、ＬＥＤ７３、７４の光で丸のこ刃２１の外周縁部及びその近傍を直接照明可能である。このように、丸のこ刃２１の一側面２１Ａ側における外周縁部及びその近傍を、ＬＥＤ７３、７４からの直接光で照明をすることができるため、より明るく照らすことができる。ＬＥＤ７３〜７５は光源に相当する。
【００３２】
第２ソーカバー部３０の切断方向前側端相当位置及びその近傍部分には、図４に示されるように、貫通孔３０ａ、切欠き３０ｂが形成されている。貫通孔３０ａには平行に配置された一対の光ファイバー７７、７７が挿通され、切欠き３０ｂには当該一対の光ファイバー７７、７７が嵌合している。このことにより、光ファイバー７７は第２ソーカバー部３０に支持接続されて固定されると共に、第２ソーカバー部３０の外形輪郭から突出しないように構成されている。光ファイバー７７は伝送手段に相当する。
【００３３】
一対の光ファイバー７７、７７の一端７７Ａ、７７Ａは、図４に示されるように、第２ソーカバー部３０が第１ソーカバー部２３に装着されているときに、ＬＥＤ７５の光軸方向の先端部にそれぞれ略対向配置されており、一対の光ファイバー７７、７７の他端７７Ｂ、７７Ｂは、図４に示されるように、第２ソーカバー部３０が第１ソーカバー部２３に装着されているときに、丸のこ刃２１の他側面２１Ｂ側における外周縁部に直接対向している。この構成により、ＬＥＤ７５の光は、一対の光ファイバー７７、７７の一端７７Ａ、７７Ａから光ファイバー７７、７７内に入り、光ファイバー７７、７７内において伝送され、他端７７Ｂ、７７Ｂにおいて光ファイバー７７、７７から光ファイバー７７、７７外部へと照射され、主に丸のこ刃２１の他側面２１Ｂ側における外周縁部及びその近傍を照明する。光ファイバー７７の他端７７Ｂは、光源たるＬＥＤ７５から離間した位置に配置されており発光部をなす。
【００３４】
ＬＥＤ７５の光を光ファイバー７７を介して第２ソーカバー部３０における発光部たる光ファイバー７７の他端７７Ｂに伝送するようにしたため、丸のこ刃２１の他側面２１Ｂ側において光ファイバー７７の他端７７Ｂからの光で照明をすることができ、丸のこ刃２１の他端側における丸のこ刃２１の視認性を高めることができる。また、発光部たる光ファイバー７７の他端７７Ｂが配置されている第２ソーカバー部３０の部分の省スペース化、小型化を図ることができ、携帯用丸のこ１全体の小型化を図ることができる。また、第２ソーカバー部３０には照明装置７０が設けられていないため、光源及び光源に電力を供給するための電線等を第２ソーカバー部３０側に設けずに済み、第２ソーカバー部３０に対する第１ソーカバー部２３の着脱を容易とする構成とすることができる。
【００３５】
また、ＬＥＤ７３、７４の光で丸のこ刃２１の一側面２１Ａ側及びその近傍を直接照明するようにしたため、丸のこ刃２１一側面２１Ａ側をより明るく照明することができる。また、伝送手段として光ファイバー７７を用いたため、ＬＥＤ７５からの光を効率よく且つ容易に光ファイバー７７の他端７７Ｂまで伝送することができる。また、貫通孔３０ａには平行に配置された一対の光ファイバー７７、７７が挿通され、切欠き３０ｂには当該一対の光ファイバー７７、７７が嵌合しているため、光ファイバー７７を容易且つ確実に第２ソーカバー部３０に接続固定することができる。
【００３６】
ベース５０は、図１に示されるように、ベース部材５１と、回動支持部５２と、第一ベベルプレート５４と、第二ベベルプレート５５と調節ガイドとなる回動プレート５６とから主に構成され、ベース５０に対してハウジング２と丸のこ刃２１とを回動及び傾動可能に支持している。ベース部材５１は、ベース５０の主構成部材であり金属製であって略長方形の板材により構成されている。ベース部材５１は長手方向が切断方向と一致するように配置され、その表面には長手方向に延びる長孔状の図示せぬ開口部が形成されている。この図示せぬ開口部に丸のこ刃２１及びセーフティカバー４２が入り、図１等に示されるように、ベース部材５１よりも下方に丸のこ刃２１とセーフティーカバー２７とが突出するように、ベース部材５１が構成されている。
【００３７】
第一ベベルプレート５４、回動支持部５２は、図１及び図２に示されるように、ベース部材５１において、図示せぬ開口部の切断方向前側位置に設けられている。第一ベベルプレート５４は、ベース部材５１上において切断方向と略直交する短手方向、即ち第一ベベルプレート５４の面が図１の紙面の表側と裏側とを結ぶ方向に指向するように直立して配設されており、切断方向に延びる第一傾動軸部５４Ａを備えている。また第一ベベルプレート５４には、第一傾動軸部５４Ａを中心とし、第一傾動軸部５４Ａの軸方向と直交する円弧状の図示せぬ長孔が形成されている。
【００３８】
回動支持部５２は、第一傾動軸部５４Ａを中心として第１ソーカバー部２３と一体で傾動可能に軸支されている。回動支持部５２は切断方向後側に延出する腕部を有し、その腕部には、切断方向と直交する方向を軸方向とする回動軸部５２Ａが設けられている。この回動軸部５２Ａには、ソーカバー４０の切断方向前側に位置する連結部２５が軸支されている。
【００３９】
また回動支持部５２には、第一ベベルプレート５４の図示せぬ長孔を貫通し回動支持部５２に形成された図示せぬネジ穴に螺合するネジ５２Ｂが設けられている。このネジ５２Ｂを締め込むことにより、第一ベベルプレート５４に対する回動支持部５２の傾動角度を任意の角度で固定することができる。
【００４０】
第二ベベルプレート５５、回動プレート５６は、図１及び図２に示されるように、ベース部材５１において図示せぬ開口部の切断方向後側位置に設けられている。第二ベベルプレート５５はと第一ベベルプレート５４とは、図示せぬ開口部を挟んで図１、図２の左右方向に略対称に構成されており、図示せぬ円弧状の長孔が形成されている。また第一傾動軸部５４Ａの軸方向延長線上には、回動プレート５６を軸支する図示せぬ第二傾動軸部が設けられている。また図示せぬ長孔を貫通して図示せぬネジ部が設けられている。図示せぬネジ部により、第二ベベルプレート５５に対する回動プレート５６の傾動角度を任意の角度で固定することができる。
【００４１】
回動プレート５６は板状をした略円弧状をなしており、その側面がベース部材５１の長手方向、即ち、図１の左右方向に平行をなして直立して配設されており、円弧状の長孔５６ａが形成されている。図１に示されるように、回動プレート５６の側面上であって略円弧の外周相当位置には目盛り５６Ｂが刻まれてあり、この目盛り５６Ｂに対する後述のレバー２８の凸部２８Ｂ位置を読み取ることで、回動軸部５２Ａを回動軸とする丸のこ刃２１及びハウジング２の回動角度が認識できるように構成されている。
【００４２】
規制部２６は、回動プレート５６に対向する第１ソーカバー部２３の部分に設けられており、図１に示されるように、レバー２８を有している。レバー２８の軸２８Ａが円弧状の長孔５６ａを貫通している。長孔５６ａを貫通しているレバー２８の図１に示される手前側の一端部分には、目盛り５６Ｂ上に向けて延出する凸部２８Ｂが設けられており、目盛り５６Ｂに対する後述のレバー２８の凸部２８Ｂの位置を読み取ることができるように構成されている。
【００４３】
レバー２８を緩めることにより、回動軸部５２Ａを回動の中心として、丸のこ刃２１、収容部１０、ギヤカバー２０、及び第２ソーカバー部３０を回動可能とすることができる。また、レバー２８を締めることにより、レバー２８、丸のこ刃２１、収容部１０、ギヤカバー２０、及び第２ソーカバー部３０を回動プレート５６に対して回動不能に固定することができる。
【００４４】
また図１に示されるように、ベース部材５１の切断方向前側最先端位置であって、丸のこ刃２１の一側面２１Ａ及び他側面２１Ｂの仮想延長面と交わる位置には、切断位置を示す示唆部５７が設けられており、ベース部材５１の第一ベベルプレート５４等が設けられている面の反対面には、加工部材に当接する当接面５１Ａが規定されている。
【００４５】
本発明による電動工具は、上述した実施の形態に限定されず、特許請求の範囲に記載した範囲で種々の変形や改良が可能である。例えば、本実施の形態ではＬＥＤ７３〜７５は３個設けられ、その内の１つが丸のこ刃２１の他側面２１Ｂ側を照明するために用いられたが、この構成に限定されない。例えばＬＥＤを１つとして、第１ソーカバー部にも光ファイバーを設けてその他端を発光部として設け、当該１つのＬＥＤの光を光ファイバーを介して丸のこ刃２１の一側面２１Ａ側と他側面２１Ｂ側との両方に伝送するようにしてもよい。この場合には、第１ソーカバー部２３の発光部は第１発光部に相当し、第２ソーカバー部３０の発光部は第２発光部に相当する。
【００４６】
また、丸のこ刃２１の一側面２１Ａ側と他側面２１Ｂ側との両方を照らすようにしたが、両方としなくてもよく、例えば、第２ソーカバー部３０にのみ発光部を設けて丸のこ刃２１の他側面２１Ｂ側のみを照らすようにしたり、第１ソーカバー部２３にのみ発光部を設けて丸のこ刃２１の一側面２１Ａ側のみを照らすようにしたりしてもよい。また、発光部の位置は、本実施の形態の位置に限定されず、例えば、発光部が丸のこ刃２１の一側面２１Ａ及び他側面２１Ｂの延長上に配置されて、１つの発光部により丸のこ刃２１の一側面２１Ａ側及び他側面２１Ｂ側を照明するようにしてもよい。
【００４７】
また、本実施の形態では、電動工具はいわゆる集塵丸のこと呼ばれる携帯用丸のこ１であったが、これに限定されない。例えば、第１ソーカバー部と第２ソーカバー部とが一体に構成され集塵機が接続されない携帯用丸のこであってもよく、また、携帯用丸のこではなく、他の電動工具、例えば、いわゆるジグソーやグラインダー等であってもよい。ジグソーの場合には、長尺の板状をした切断刃が加工工具に相当し、グラインダーの場合には、円盤形状をした砥石が加工工具に相当する。
【００４８】
また、第２ソーカバー部３０への光ファイバー７７の支持接続は、第２ソーカバー部３０に形成された貫通孔３０ａに平行に配置された一対の光ファイバー７７、７７が挿通され、また、第２ソーカバー部３０に形成された切欠き３０ｂに当該一対の光ファイバー７７、７７が嵌合して行われたが、これに限定されず、他の接続方法が採られてもよい。
【００４９】
また、伝送手段として光ファイバー７７が用いられたが、光ファイバー７７に限定されない。同様に、発光部は光ファイバー７７の他端７７Ｂにより構成されることに限定されず、また、光源はＬＥＤ７３〜７５に限定されない。
【図面の簡単な説明】
【００５０】
【図１】本発明の実施の形態による電動工具の左側面図。
【図２】本発明の実施の形態による電動工具の右側面図。
【図３】本発明の実施の形態による電動工具の要部断面図。
【図４】本発明の実施の形態による電動工具の照明装置及びその近傍部分を示す要部断面図。
【図５】本発明の実施の形態による電動工具の要部正面図。
【図６】本発明の実施の形態による電動工具の要部正面図。
【図７】本発明の実施の形態による電動工具の第２ソーカバー部を取り外した状態を示す左側面図。
【図８】従来の電動工具の斜視図。
【図９】従来の電動工具の斜視図。
【符号の説明】
【００５１】
１・・・携帯用丸のこ  １１・・・モータ  ２１・・・丸のこ刃  ２１Ａ・・・一側面  ２１Ｂ・・・他側面  ２３・・・第１ソーカバー部  ３０・・・第２ソーカバー部  ３０ａ・・・貫通孔  ３０ｂ・・・切欠き  ４０・・・ソーカバー  ７０・・・照明装置  ７３、７４、７５・・・ＬＥＤ  ７７・・・光ファイバー  ７７Ａ・・・一端  ７７Ｂ・・・他端
【図１】
2008265124.tif 000003
【図２】
2008265124.tif 000004
【図３】
2008265124.tif 000005
【図４】
2008265124.tif 000006
【図５】
2008265124.tif 000007
【図６】
2008265124.tif 000008
【図７】
2008265124.tif 000009
【図８】
2008265124.tif 000010
【図９】
2008265124.tif 000011